(57)【要約】  １対の鋏は、１対の指受け開口内に入る操作者の指によって操作可能な１対の離間したカット刃を備えている。指受け開口の１つは、弧状部材から形成され、この弧状部材から指止めを形成する突起が延在している。この突起は、鋏の使用中、ユーザの中指が弧状部材を超えて滑ることを制限する。
2007513732.tif 000002
【特許請求の範囲】
【請求項１】
カット領域と第１ハンドルとを有する第１刃と、カット領域と第２ハンドルとを有する第２刃とを備えている鋏であって、前記第１刃及び前記第２刃は、前記カット領域を互いに協働させる状態で旋回可能に連結され、前記第１ハンドルは、第１指受け開口を含んだ弧状部材を有するハンドル延在部を備え、前記弧状部材は、前記第１刃の前記カット領域の方向へ配向された第１傾斜セグメントと、前記第１刃の前記カット領域から離れる方向へ配向された第２傾斜セグメントと、前記第１傾斜セグメントから外方に延在する第１突起と、前記第１ハンドルから外方に前記第１突起と離間して延在する第２突起とを備え、
前記第１突起と前記第２突起との間に、人の指を受けることに対応した第３指受け開口が備えられていることを特徴とする鋏。
【請求項２】
前記第１突起は、前記第１刃の前記カット領域の方向に配向されていることを特徴とする請求項１に記載の鋏。
【請求項３】
前記第１突起は、三角形状を有していることを特徴とする請求項１に記載の鋏。
【請求項４】
前記第２突起は、三角形状を有していることを特徴とする請求項１に記載の鋏。
【請求項５】
前記第１突起及び前記第２突起は、前記第１ハンドルの弧状部を介して離間されていることを特徴とする請求項１に記載の鋏。
【請求項６】
前記弧状部は、前記弧状部材の前記第１傾斜セグメントの一部を含んでいることを特徴とする請求項５に記載の鋏。
【請求項７】
前記弧状部材は、閉鎖リングを有していることを特徴とする請求項１に記載の鋏。
【請求項８】
前記第３指受け開口は、人の指を前記第３指受け開口内で受けた状態において、前記第１ハンドルに沿った前記人の指の移動を制限する寸法で形成されていることを特徴とする請求項１に記載の鋏。
【請求項９】
前記第３指受け開口は、人の中指を受けることに対応していることを特徴とする請求項８に記載の鋏。
【請求項１０】
カット領域と第１ハンドルとを有する第１刃と、カット領域と第２ハンドルとを有する第２刃とを備えている鋏であって、前記第１刃及び前記第２刃は、前記カット領域を互いに協働させる状態で旋回可能に連結され、前記第１ハンドルは、第１指受け開口を備える第１ハンドル延在部を備え、前記第２ハンドルは、第２指受け開口を有する第２ハンドル延在部を備え、前記第１ハンドル延在部は、弧状部材を備え、前記弧状部材は、頂部と、前記弧状部材から外方に延在する第１突起と、前記第１ハンドルから外方に前記第１突起と離間して延在する第２突起とを有し、前記第１突起は、前記弧状部材の前記頂部と前記第２突起との間に配置され、前記弧状部材の前記頂部と前記第２突起との間に、人の指を受けることに対応する第３指受け開口が備えられていることを特徴とする鋏。
【請求項１１】
前記第１突起は、前記第１刃の前記カット領域の方向に配向されていることを特徴とする請求項１０に記載の鋏。
【請求項１２】
前記第１突起は、三角形状を有していることを特徴とする請求項１０に記載の鋏。
【請求項１３】
前記第２突起は、三角形状を有していることを特徴とする請求項１０に記載の鋏。
【請求項１４】
前記第１突起及び前記第２突起は、前記第１ハンドルの弧状部を介して離間していることを特徴とする請求項１０に記載の鋏。
【請求項１５】
前記弧状部材は、閉鎖リングを有していることを特徴とする請求項１０に記載の鋏。
【請求項１６】
前記第３指受け開口は、人の指を前記第３指受け開口内で受けた状態において、前記第１ハンドルに沿った前記人の指の移動を制限する寸法で形成されていることを特徴とする請求項１０に記載の鋏。
【請求項１７】
前記第３指受け開口は、人の中指を受けることに対応していることを特徴とする請求項１６に記載の鋏。
【請求項１８】
第３開口は、人の人差し指を受けることに対応していることを特徴とする請求項１０に記載の鋏。
【請求項１９】
カット領域と第１ハンドルとを有する第１刃と、カット領域と第２ハンドルとを有する第２刃とを備えている鋏であって、前記第１刃及び前記第２刃は、前記カット領域を互いに協働させる状態で旋回可能に連結され、前記第１ハンドルは、第１指受け開口を有する第１ハンドル延在部を備え、前記第２ハンドルは、第２指受け開口を有する第２ハンドル延在部を備え、前記第１ハンドル延在部は、前記第１ハンドル延在部から外方に延在する第１突起を備え、前記第１ハンドルは、前記第１ハンドルから外方に延在する第２突起を備え、前記第１突起と前記第２突起とは離間しており、前記第１突起と前記第２突起との間で、人の中指を受けると共に前記人の中指が前記第１ハンドル延在部を超えての滑動を阻止することに対応した第３指受け開口が備えられていることを特徴とする鋏。
【請求項２０】
前記第１指受け開口及び前記第３指受け開口は、前記第１ハンドル延在部の一部と、前記第１ハンドルの隣接部とを介して離間していることを特徴とする請求項１９に記載の鋏。
【請求項２１】
前記第１指受け開口は、人の薬指を受けることに対応していることを特徴とする請求項１９に記載の鋏。
【請求項２２】
前記第１突起は、前記第１刃の前記カット領域の方向に配向されていることを特徴とする請求項１９に記載の鋏。
【請求項２３】
前記第１突起は、三角形状を有していることを特徴とする請求項１９に記載の鋏。
【請求項２４】
前記第２突起は、三角形状を有していることを特徴とする請求項１９に記載の鋏。
【請求項２５】
前記第１突起及び前記第２突起は、前記弧状部を介して離間していることを特徴とする請求項１９に記載の鋏。
【請求項２６】
前記第１ハンドル延在部は、閉鎖リングを有していることを特徴とする請求項１９に記載の鋏。
【請求項２７】
前記第２指受け開口は、弧状の形状を有していることを特徴とする請求項１９に記載の鋏。
【請求項２８】
前記第１突起及び前記第２突起は、前記第１ハンドルと一体に形成されていることを特徴とする請求項１９に記載の鋏。
【請求項２９】
カット領域と第１ハンドルとを有する第１刃と、カット領域と第２ハンドルとを有する第２刃とを備えている鋏であって、前記第１刃及び前記第２刃は、前記カット領域を互いに協働させる状態で旋回可能に連結され、前記第１ハンドルは、第１指受け開口を有する第１ハンドル延在部を備え、前記第１ハンドル延在部は、弧状部材を備え、前記弧状部材は、前記第１刃の前記カット領域の方向に配向された第１セグメントと前記第１刃の前記カット領域から離れる方向に配向された第２セグメントと、前記第１セグメントから外方に延在して、人の指が前記第１ハンドル延在部の前記第２セグメント上での滑動を阻止する止めを含んだ突起とを備えていることを特徴とする鋏。
【請求項３０】
前記弧状部材は、前記第１セグメントと前記第２セグメントとを分離する頂部を備えていることを特徴とする請求項２９に記載の鋏。
【請求項３１】
前記突起は、前記頂部に隣接して配置されていることを特徴とする請求項３０に記載の鋏。
【請求項３２】
前記突起は、三角形状を有していることを特徴とする請求項２９に記載の鋏。
【請求項３３】
前記弧状部材は、円形部材の一部を形成していることを特徴とする請求項２９に記載の鋏。
【発明の詳細な説明】
【技術分野】
【０００１】
鋏は、美容院や理髪店において髪をカットすることに広く用いられている。鋏は、種々の設計及び構造で製造されているが、殆どの場合、２つの旋回可能に接続された刃を含み、各刃は、枢着点の片側において協働するカット領域と、枢着点の他の側に設けられる手指と親指との支持体を備えるハンドル部とを有している。鋏の操作者の手指と親指とを相対運動させることによる操作が、それに対応するカット刃の旋回可能な運動をもたらし、これによって、カット領域が協働作用し、それらの間に位置する髪をカットするようになっている。
【背景技術】
【０００２】
カット中に鋏を操作及びコントロールするには、人の手、腕、及び指の種々の筋肉を用いる必要がある。操作者の手先の疲労を防ぐために、鋏を保持する際の操作者の指の位置は、極めて重要である。従来の鋏には、鋏に沿った種々の位置においてこれらの手先を位置決めするための種々の手指受け開口及び親指受け開口が、設けられている。例えば、米国特許第３８２５０２０号、２６６９９９３号、２６７７１７９号、及び２３７００２６号を参照されたい。
【発明の開示】
【発明が解決しようとする課題】
【０００３】
以上の状況にも関わらず、長期の使用中における操作者の手、腕、及び／又は指の疲労を低減させると共に、カット刃の操作の融通性とコントロールを高めることができる鋏の設計と構造の改良が、必要とされている。
【課題を解決するための手段】
【０００４】
本発明の一実施形態によれば、カット領域と第１ハンドルとを有する第１刃と、カット領域と第２ハンドルとを有する第２刃とを備えている鋏であって、第１及び第２刃は、それらのカット領域を互いに協働させる状態で旋回可能に連結され、第１ハンドルは、第１指受け開口を備えた弧状部材を有するハンドル延在部を備え、弧状部材は、第１刃のカット領域の方向に配向された第１傾斜セグメントと、第１刃のカット領域から離れる方向に配向された第２傾斜セグメントと、第１傾斜セグメントから外方に延在する第１突起と、第１ハンドルから外方に第１突起と離間して延在する第２突起とを備え、第１突起及び第２突起は、それらの間に、人の指を受けることに対応した第３指受け開口を備えていることを特徴とする鋏が、提供される。
【０００５】
本発明の他の実施形態によれば、カット領域と第１ハンドルとを有する第１刃と、カット領域と第２ハンドルとを有する第２刃とを備えている鋏であって、第１刃及び第２刃は、それらのカット領域を互いに協働させる状態で旋回可能に連結され、第１ハンドルは、第１指受け開口を有する第１ハンドル延在部を備え、第２ハンドルは、第２指受け開口を有する第２ハンドル延在部を備え、第１ハンドル延在部は、弧状部材を備え、弧状部材は、頂部と、弧状部材から外方に延在する第１突起と、第１ハンドルから外方に第１突起と離間して延在する第２突起とを有し、第１突起は、弧状部材の頂部と第２突起との間に配置され、これによって、それらの間に、人の指を受けることに対応した第３指受け開口を備えていることを特徴とする鋏が、提供される。
【０００６】
本発明の他の実施形態によれば、カット領域と第１ハンドルとを有する第１刃と、カット領域と第２ハンドルとを有する第２刃とを備えている鋏であって、第１刃及び第２刃は、それらのカット領域を互いに協働させる状態で旋回可能に連結され、第１ハンドルは、第１指受け開口を有する第１ハンドル延在部を備え、第２ハンドルは、第２指受け開口を有する第２ハンドル延在部を備え、第１ハンドル延在部は、そこから外方に延在する第１突起を備え、第１ハンドルは、そこから外方に延在する第２突起を備え、第１突起と第２突起とは離間しており、それらの間に人の中指を受けると共に人の中指が第１ハンドル延在部を超えて滑動するのを阻止することに対応して形成されている第３指受け開口を備えていることを特徴とする鋏が、提供される。
【０００７】
本発明の他の実施形態によれば、カット領域と第１ハンドルとを有する第１刃と、カット領域と第２ハンドルとを有する第２刃とを備えている鋏であって、第１刃及び第２刃は、それらのカット領域を互いに協働させる状態で旋回可能に連結され、第１ハンドルは、第１指受け開口をもたらす第１ハンドル延在部を備え、第１ハンドル延在部は、弧状部材を備え、弧状部材は、第１刃のカット領域の方向に配向された第１セグメントと第１刃のカット領域から離れる方向に配向された第２セグメントと、第１セグメントから外方に延在して、人の指が第１ハンドル延在部の第２セグメント上に滑動するのを阻止する止めを有する突起とを備えていることを特徴とする鋏が、提供される。
【０００８】
前述の説明、並びに本発明の更なる目的、特徴及び利点は、添付の図面と関連させて、以下の「中指ガイドを有する鋏」の詳細な説明を参照すれば、さらに充分に理解されるであろう。
【発明を実施するための最良の形態】
【０００９】
図面に示される本発明の好ましい実施形態を説明する際、明瞭にするために、特定の用語が用いられている。しかし、本発明は、そのように選択された特定の用語に制限されるものではなく、特定の用語の各々は、同様の目的を達成するために、同様の形態で作用するあらゆる技術的な等価物を含むことが、理解されるべきである。
【００１０】
以下、図面について説明するが、これらの図面において、同様の番号は、同様の要素を示すものとする。図１には、参照番号１００によって総称的に示される１対の鋏が示されている。鋏１００は、１対の細長の刃１０２，１０４を備え、これらの刃１０２，１０４は、鋏の技術分野において周知である任意の従来の組立体によって、枢着点１０６で旋回可能に接続されてもよい。刃１０２，１０４の各々は、枢着点１０６の前方に配置されたカット領域１０８と、各ハンドル１１０，１１２とを備えている。ハンドル１１０には、指受け開口１１８を画成する弧状部材１１６によって形成されるハンドル延在部１１４がさらに設けられている。同様に、ハンドル１１２には、指受け開口１２４を画成する弧状部材１２２によって形成されるハンドル延在部１２０が設けられている。
【００１１】
ハンドル延在部１１４の弧状部材１１６は、図１に示されるように、弧状部材の上部に沿った略中央に配置された頂部１２６を備えている。弧状部材１１６は、カット領域１０８の方向に大部分が配向されている傾斜セグメント１２８と、カット領域から離れる方向に大部分が配向されている傾斜セグメント１３０とによって、さらに画成されている。図示されるように、頂部１２６は、傾斜セグメント１２８，１３０間の中心に位置する弧状部材１１６の頂点に略配置されている。
【００１２】
指受け開口１１８は、一般的に、円形の開口、又はその変形、例えば、楕円形の開口などである。すなわち、指受け開口１１８は、頂部１２６の両側に延在する傾斜セグメント１２８，１３０を画成する弧状部材１１６によって画成されている。
【００１３】
突起１３２が、傾斜セグメント１２８から弧状部材１１６に沿って外方に延在して形成されている。他の突起１３４は、ハンドル１１０から外方に延在して形成されているが、この突起１３４は、突起１３２からそれらの間に指受け開口１３６を形成し、離間して配置されている。図示されるように、突起１３２は、弧状部材１１６の頂部１２６に略隣接して配置されている。得られる指受け開口１３６は、突起１３２，１３４の弧状の側面と、ハンドル１１０の中間弧状部１３８によって、部分的に縁取られている。
【００１４】
本発明の一実施形態によれば、突起１３２，１３４は、三角形状を有し、突起１３２は、突起１３４よりも大きい。突起１３２，１３４は、ハンドル１１０の製造中に、従来の製造技術を用いて、一体に形成されることが可能である。また、突起１３２，１３４は、他の形状、例えば、正方形、円筒、Ｃ形状、フック形状、多角形、又は指受け開口１３６をそれらの間に画成することに適した他の任意の形状を備えてもよいことも考慮されている。突起１３２，１３４は、好ましくは、ハンドル１１０と一体に形成されるが、取外し可能であってもよく、もしくは、別体としてハンドルに固定されてもよい。例えば、突起１３２，１３４は、ハンドル１００のネジ部を受けることに対応したネジ部、例えば、ネジスタッドとネジ開口との組合せを備えることによって、取外し可能であってもよい。加えて、突起１３２，１３４は、溶接又は他の方法によってハンドル１１０に取り付けられる別片としての形態で設けられてもよい。突起１３２，１３４は、ハンドル１１０と弧状部材１１４の部分にスナップ嵌合され得るポリマー材料から形成されてもよい。
【００１５】
鋏の使用時において、人の親指が指受け開口１２４に挿入され、薬指が指受け開口１１８に挿入され、中指が指受け開口１３６内に受けられる。場合によって、操作者は、中指を指受け開口１１８内に入れ、人差し指を指受け開口１３６内に置いてもよい。いずれにしても、指受け開口１３６は、人の指が傾斜セグメント１２８の上方に滑って、頂部１２６を超え、傾斜セグメント１３０上に至るのを制限することに対応している。突起１３２は、人の指が指受け開口１３６内の適切なカット位置から変位することを妨ぐ後方向の止めとして、効果的に作用する。同様に、突起１３４は、人の指がハンドル１１０に沿って前方に滑るのを制限する止めとして作用する。
【００１６】
以上、本発明を、好ましい実施形態に関して、詳細に説明した。その際、上記の好ましい実施形態は、１対の離間した突起１３２，１３４を備えている。前述したように、突起１３２は、人の指がハンドル延在部１１４を画成する弧状部材１１６の上方に、かつそれを超えて滑ることを制限する止めとして機能している。しかし、本発明の広い態様によれば、単一の突起１３２だけ必要とすることも考慮されている。すなわち、突起１３４がハンドル１１０の構造内に含まれることは、好ましいが、必要条件ではない。
【００１７】
１対の鋏を特定のユーザの指の寸法に適合させるために、本発明は、図２及び図３に示されるような複数のリング挿入物１４０を設けている。リング挿入物は、弾性及び／又は可撓性を有する多数の既知のポリマー材料のいずれか１つから得られる円形リングの形態で構成されている。リング挿入物１４０は、指受け開口１１８，１２４の形状、例えば、円形、楕円形などに略適合するように形作られている。しかし、リング挿入物の可撓性及び／又は弾性によって、円形のリング挿入物が、楕円形の指受け開口１１８，１２４に用いられるように変形され得ることも考慮されている。図３に最も良好に示されているように、リング挿入物１４０の各々は、略連続的な溝１４２又は他のこのような凹部によって画成される外端を有しているが、この目的については、後述する通りである。
【００１８】
１対の鋏を操作者の指の寸法に適合させるために、リング挿入物１４０は、外径と内径の種々の組合せで形成されている。これに関連して、リング挿入物１４０は、指定された寸法の指受け開口１１８，１２４内に受けられると共に、異なるユーザの指の寸法にも適応する少なくとも２つのリング挿入物の対又は群の形態で形成されている。本発明の好ましい実施形態によれば、リング挿入物１４０は、複数の群であって、各群が同一の外径と異なる内径とを有する少なくとも１対のリング挿入物を備える複数の群の形態で形成されている。リング挿入物１４０は、リング挿入物の単一又は複数の群であって、各群が同一の外径と異なる内径の少なくとも１対の挿入物を備える単一又は複数の群を有するキットに包装されてもよい。これらの群は、より広い範囲における操作者の指の寸法に対応した１対よりも多いリング挿入物１４０を備えてもよいということについて、さらに考慮されている。
【００１９】
図２を再び参照すると、一実施形態として、群Ｉと称する３つのリング挿入物１４０を含むキットが示されている。リング挿入物１４０の各々は、それぞれ、約２４．５ｍｍの外径と、約２０ｍｍ、１８．１ｍｍ、及び１４．７５ｍｍの内径とを有している。また、リング挿入物１４０のキットは、それぞれ、約２３．７５ｍｍの外径と約１８．２５ｍｍ及び１４．７５ｍｍの内径とを有する１対のリング挿入物を備えた群ＩＩ内に示されるリング挿入物を含んでいてもよい。さらに、リング挿入物のキットは、それぞれ、約２２．５ｍｍの外径と約１７．５ｍｍ及び１３．５ｍｍの内径とを有する群ＩＩＩ内に示される１対のリング挿入物を含むこともできる。さらにまた、リング挿入物のキットは、それぞれ、約２０．２５ｍｍの外径と約１５．２５ｍｍ及び１２．２５ｍｍの内径とを有する群ＩＶ内に示される１対のリング挿入物を含んでいてもよい。
【００２０】
具体的には示されていないが、他の外径と内径も本発明内に含まれることが、意図されている。前述のリング挿入物は、外径よりも約４．２５ｍｍから約９．７５ｍｍ小さい範囲内にある内径を有している。前述のリング挿入物における寸法差は、内径が外径よりも約１８％から約４０％だけ小さい範囲内にある。
【００２１】
前述の群Ｉ−ＩＶのいずれか１つに、任意の数のリング挿入物１４０が含まれていてもよいことが、理解されよう。加えて、リング挿入物１４０のキットは、どのような単一の群の挿入リングを含んでいてもよいし、又は一緒に包装されるか、混在されるか、又は特定の群に個別に保持される複数の群Ｉ−ＩＶの挿入リングを含んでいてもよい。従って、「群」という用語は、複数のリング挿入物１４０が、識別可能であることが必要とされること、または、個別の群内に設けられることを、意味するものではない。すなわち、１つよりも多い群からなる複数のリング挿入物１４０は、ユーザによる選択に対応して、互いに混在されるようにすることができる。
【００２２】
好ましい実施形態において、群Ｉ−ＩＶ内に示されるリング挿入物１４０の内それぞれは、単一のキット内に含まれている。加えて、端数のリング挿入物が、前述の群のいずれか１つに含まれ、前述のリング挿入物のキットの１つに包装されるようにしてもよい。このような１つのリング挿入物１４０が、約２１ｍｍの外径と約１６．７５ｍｍの内径とを有するリング挿入物として、図２に示されている。リング挿入物のキットは、同一の外径と異なる内径とを有する少なくとも１対のリング挿入物１４０を有することが、理解されよう。リング挿入物のキットは、種々の鋏の構造及び操作者の指の寸法に適応するように予め定められた種々の寸法を有する任意の数のリング挿入物１４０を含んだ任意の数の群を有していてもよい。
【００２３】
次いで、図４を参照すると、ユーザは、必要に応じて、指受け開口１１８，１２４の各々に対して、適切なリング挿入物１４０を選択する。選択されると、そのリング挿入物１４０は、指受け開口１１８，１２４内に押し込まれ、これによって、弧状部材１１６、１２２が、リング挿入物の周囲に延在する溝１４２内に嵌め込まれる。リング挿入物１４０の弾性と可撓性によって、リング挿入物は、指受け開口１１８，１２４内に圧力嵌めされてもよく、又は捩ることによって減径させ、その予め捩じられた形状によって、弧状部材１１６、１２４をリング挿入物の溝１４２内にスナップ係合させるようにしてもよい。このようにして、リング挿入物１４０は、ユーザの必要に応じて、鋏１００内に挿入され、また鋏１００から取り出されてもよい。リング挿入物１４０は、適切な選択をすることにより、ユーザの指の寸法に適応する適切な寸法の開口をもたらす。
【００２４】
リング挿入物１４０は、その嵌合を決定するために、ユーザが手指と親指とをリング挿入物の１つに入れることにより、手作業で寸法決めされてもよい。適切なリング挿入物１４０が選択されたあとに、そのリング挿入物が、鋏１００のリング受け開口１１８，１２４の１つ内に嵌合されてもよい。リング挿入物１４０をこのように選択する手順は、適切な鋏の嵌合を得るために必要なだけ繰り返される試行錯誤手順である。鋏１００に挿入後に取外し可能であるリング挿入物１４０によって、この手順は容易になされる。
【００２５】
リング挿入物１４０は、図５に示されるテンプレート１４８の補助によって、選択されてもよい。テンプレート１４８は、複数の円穴１５２を備える略平板１５０の形態で、構成されている。穴１５２は、テンプレート１４８上の所望される任意の配列及び位置に配置されてもよい。加えて、テンプレート１４８は、円形状として示されているが、どのような形状及び所定の厚みを有していてもよい。従って、平板１５０が穴１５２用の支持体をもたらすことが、理解されるであろう。
【００２６】
好ましい実施形態によれば、穴１５２は、図２に示されるようなリング挿入物１４０、１４６の内径に対応する直径を有するように寸法決めされている。使用しやすくするために、穴１５２は、平板１５０の周囲に、内径が増加するか又は減少する順番で配置されている。しかし、穴１５２は、任意の位置又は無作為なパターン又は配列で、平板１５０に配置されてもよい。
【００２７】
リング挿入物１４０を選択する際に、ユーザは、薬指又は他の指を穴１５２の１つに挿入し、その嵌合を決定する。これに関連して、穴１５２の内径は、人の薬指の先端から第１及び第２関節間の辺りにスナップ嵌合されるべきとする。この測定プロセスが、人の親指を用いて繰り返され、親指の爪の中間点と親指の甘皮の底との間の部分のスナップ嵌合を決定する。選択された穴１５２の対応する内径が書き留めて、これによって、対応するリング挿入物１４０を選択する。
【００２８】
一例として、１７．９ｍｍの薬指の寸法を測定したとき、ユーザは、同じ内径と２４．５ｍｍの外径とを有する群Ｉから対応するリング挿入物１４０を選択する。次いで、この薬指用の開口を寸法決めするために、選択されたリング挿入物１４０が、指受け開口１１８に入れられる。他の例として、１４．７５ｍｍの指の寸法を特定したときに、ユーザは、２４．５ｍｍと２３．７５ｍｍの外径にそれぞれ対応する群Ｉ又は群ＩＩのいずれかからリング挿入物１４０の１つを選択することができる。この場合、ユーザは、必要とされる指受け開口１１８，１２４内に最も適合する適切なリング挿入物１４０を選択することになる。Ｃ／Ｃ１で表される穴は、１４．７５ｍｍの内径と異なる外径、すなわち、２４．５ｍｍ及び２３．７５ｍｍの外径とを有する２つの挿入リング１４０に対応している。
【００２９】
以上、リング挿入物１４０を指受け開口１１８，１２４の内の１つに単独で挿入する挿入物として説明した。しかし、必要に応じて、１対のリング挿入物１４０が、特定の指受け開口１１８，１２４の寸法に適応するように、入れ子にされることも考えられる。例えば、もし人の指がテンプレート１４８によって１２．２５ｍｍと測定された場合、対応するリング挿入物１４０は、２０．２５ｍｍの外径を有する群ＩＶから選択されるとよい。ここで、もしこの外径が指受け開口１１８に対して小さ過ぎる場合、このリング挿入物１４０は、２０ｍｍの内径と２４．５ｍｍの外径とを有する群Ｉのリング挿入物内に入れ子にされるとよい。この組合せは、比較的小さい内径と比較的大きい外径をもたらし、リング挿入物に対する汎用性を高めることになる。
【００３０】
さらに、単なる例示にすぎないが、図５を参照すると、例えば、以下の例、すなわち、リング挿入物Ｈ又はＩ内へのリング挿入物Ａ、リング挿入物Ｆ、Ｇ又はＨ内へのリング挿入物Ｄ、リング挿入物Ｆ、Ｇ、又はＨ内へのリング挿入物Ｅ、リング挿入物Ｉ内へのリング挿入物Ｆなどに示されるように、より小さいリング挿入物１４０がより大きいリング挿入物に挿入されてもよい。
【００３１】
適切なリング挿入物１４０の選択を容易にするために、穴１５２とリング挿入物は、例えば、色、文字、数、記号、及びそれらの組合せを用いて、互いに対応して、符号化されてもよい。一実施形態によれば、テンプレート１４８の穴１５２の各々は、適切な内径と所定の色で印刷され得る適切な文字とによって、指定される。リング挿入物１４０は、同様に、同一の内径の穴１５２の色と同じ色を有するポリマー材料から形成されてもよい。また、リング挿入物１４０に、対応する文字又は内径の測定値が刻印されてもよいことが考慮されている。すなわち、穴１５２は、種々の技術を用いて、リング挿入物１４０の内対応している１つのものに対して符号化されてもよい。
【００３２】
図６を参照すると、本発明の他の実施形態によるテンプレート１５４が示されている。
テンプレート１５４は、人の手の挿絵１５６と、随意的に、別に描かれた人の親指の挿絵１５８の形態の中に存在している。挿絵１５６，１５８は、リング挿入物のキットと共に鋏のユーザに供給される書類に印刷されてもよい。また、テンプレート１５４は、ソフトウエアパッケージに含まれるか、又は鋏の購買時にコンピュータ画面に表示されてもよいことが考慮されている。このことに関して、以下にさらに詳細に述べるように、ユーザは、手をコンピュータ画面に現われる挿絵１５６の上に置くことになる。
【００３３】
前述したように、ユーザは、その手を手挿絵１５６上に薬指の縁を参照ライン１６０に一直線に合せて置く。ここで、ユーザは、その薬指を、２つの離間した関節参照ライン１６２，１６４によって略示される第１及び第２関節間の領域を観察しながら、軽く押し付ける。次いで、ユーザは、薬指参照ライン１６６の１つと関連した薬指の幅に対応する適切な色／文字を選択する。これに関連して、薬指参照ライン１６６の各々は、異なる文字、数、記号、又はそれらの組合せによって指定される異なる色であるとよい。指定された薬指参照ライン１６６に基づいて、ユーザは、リング挿入物のキットから適切なリング挿入物１４０を選択することができる。
【００３４】
同様に、ユーザは、その親指を親指挿絵１５８上に参照ライン１６８に一直線に合せて置く。ここで、ユーザは、親指参照ライン１７０，１７２間に略示される親指爪の中間と甘皮の底との間の領域を観察する。親指の幅は、薬指参照ライン１６６に関して述べたような方法で、リング挿入物１４０の１つに対して符号化され得る親指参照ライン１７４の１つを選択することによって、特定される。親指挿絵１５８は、手挿絵１５６とは別に示されているが、手挿絵の一部として含まれてもよいことが考慮されている。ユーザの薬指と親指用の適切なリング挿入物１４０を選択した後、それらのリング挿入物が、鋏１００の指受け開口１１８，１２４に挿入される。
【００３５】
本発明を１対の鋏１００に対する特定の利用可能性について説明したが、１対の鋏に対するのと同様の方法で、指受け開口を介して手指によって操作されるどのような手道具も、本発明のリング挿入物及びテンプレートに対して利用可能性を有することが、理解されるであろう。
【００３６】
本発明をここで特定の実施形態に関して説明したが、これらの実施形態は、本発明の原理と応用の単なる例示にすぎないことが、理解されるであろう。従って、例示された実施形態に対する多数の修正がなされ得ること、及び添付の請求項に定義される本発明の精神と範囲から逸脱することなく、他の構成を考案し得ることが、理解されるであろう。
【図面の簡単な説明】
【００３７】
【図１】本発明の一実施形態による中指の支持体を形成する離間した突起を含む１対の鋏の上面図である。
【図２】本発明の一実施形態による予め定められた外径と内径の群の形態で例示される複数のリング挿入物の上面図である。
【図３】本発明の一実施形態によって構成されたリング挿入物の正面図である。
【図４】本発明の一実施形態による挿入された１対のリング挿入物を有する１対の鋏の上面図である。
【図５】本発明の一実施形態によって構成されたリング挿入物を選択するための寸法決めテンプレートの上面図である。
【図６】本発明の他の実施形態によって構成されたリング挿入物を選択するための寸法決めテンプレートの上面図である。
【図１】
2007513732.tif 000003
【図２】
2007513732.tif 000004
【図３】
2007513732.tif 000005
【図４】
2007513732.tif 000006
【図５】
2007513732.tif 000007
【図６】
2007513732.tif 000008
【国際調査報告】
2007513732.tif 000009